(57)【要約】【課題】機器における異常の発生を簡易に通知可能とすること。【解決手段】情報処理装置にネットワークを介して接続する機器は、前記情報処理装置から送信されるアドレス情報を受信する受信部と、前記受信部によって受信されたアドレス情報を記憶部に記憶する記憶処理部と、当該機器における異常の発生を検出する検出部と、前記検出部によって異常を検出した際に、ユーザに前記異常を通知する表示、と、前記異常の解消方法を入力させる少なくとも１つの画面とを表示する表示制御部と、前記画面に対するユーザによる操作に応じた内容の情報を、前記記憶部が記憶するアドレス情報を宛先として送信する送信部と、を有する。【選択図】図４
2019113932.tif 000002
【特許請求の範囲】
【請求項１】
情報処理装置にネットワークを介して接続する機器であって、
前記情報処理装置から送信されるアドレス情報を受信する受信部と、
前記受信部によって受信されたアドレス情報を記憶部に記憶する記憶処理部と、
当該機器における異常の発生を検出する検出部と、
前記検出部によって異常を検出した際に、ユーザに前記異常を通知する表示、と、前記異常の解消方法を入力させる少なくとも１つの画面とを表示する表示制御部と、
前記画面に対するユーザによる操作に応じた内容の情報を、前記記憶部が記憶するアドレス情報を宛先として送信する送信部と、
を有することを特徴とする機器。
【請求項２】
前記ユーザに前記異常を通知する表示に対するユーザの接触を検知することにより、前記異常の解消方法を入力させる少なくとも１つの画面を表示する、請求項１に記載の機器。
【請求項３】
前記アドレス情報は、メールアドレスであり、
前記送信部は、前記画面に対するユーザによる操作に応じた内容の情報を含むメールを、前記記憶部が記憶するアドレス情報を宛先として送信する、
ことを特徴とする請求項１又は２記載の機器。
【請求項４】
前記画面は、異常に対する対処要求の選択肢又は異常の種別に関する選択肢を含み、
前記送信部は、前記画面においてユーザによって選択された選択肢に応じた内容の情報を送信する、
ことを特徴とする請求項１乃至３いずれか一項記載の機器。
【請求項５】
異常が発生している他の機器から前記異常に関する情報を取得する取得部を有し、
前記表示制御部は、前記取得部が取得した情報に係る異常に関する前記画面を表示する、
ことを特徴とする請求項１乃至４いずれか一項記載の機器。
【請求項６】
前記表示制御部は、前記取得部によって前記異常に関する情報を取得できない場合に、複数の異常に関して、前記機器において当該異常が発生した際に表示される画面の画像を表示し、
前記送信部は、表示された画像の中からユーザによって選択された画像に対応する情報を送信する、
ことを特徴とする請求項５記載の機器。
【請求項７】
情報処理装置とネットワークを介して接続する画像形成装置であって、
前記情報処理装置から送信されるアドレス情報を受信する受信部と、
前記受信部によって受信されたアドレス情報を記憶部に記憶する記憶処理部と、
当該画像形成装置における異常の発生を検出する検出部と、
前記検出部によって異常を検出した際に、ユーザに前記異常を通知する表示、および、前記異常の解消方法を入力させる少なくとも１つの画面を表示する表示制御部と、
前記画面に対するユーザによる入力操作に応じた内容の情報を、前記記憶部が記憶するアドレス情報を宛先として送信する送信部と、
を有することを特徴とする画像形成装置。
【請求項８】
前記異常の解消方法を入力させる少なくとも１つの画面には、故障内容の選択手段、残量が所定値を下回った消耗品の選択手段、またはユーザによるテキスト入力手段のいずれかと、送信ボタンとをともに有することを特徴とする、請求項７に記載の画像形成装置。
【請求項９】
情報処理装置と、前記情報処理装置にネットワークを介して接続する機器とを含む情報処理システムであって、
前記機器は、
前記情報処理装置から送信されるアドレス情報を受信する受信部と、
前記受信部によって受信されたアドレス情報を記憶部に記憶する記憶処理部と、
当該機器における異常の発生を検出する検出部と、
前記検出部によって異常を検出した際に、ユーザに前記異常を通知する表示、および、前記異常の解消方法を入力させる少なくとも１つの画面を表示する表示制御部と、
前記画面に対するユーザによる操作に応じた内容の情報を、前記記憶部が記憶するアドレス情報を宛先として送信する送信部と、
を有することを特徴とする情報処理システム。
【請求項１０】
前記情報処理装置は、前記機器に対して、前記画面で入力した情報の送信先を示す送信先アドレス、及び、送信元アドレスを設定する設定ツールを備え、
前記機器は、前記受信部と前記記憶処理部と前記表示制御部と前記送信部を含むとともに、前記画面で入力した情報を、前記設定ツールによって設定された前記送信先アドレスに対して、前記送信元アドレスを送信元として送信する、連絡用アプリケーションを備えることを特徴とする、請求項９に記載の情報処理システム。
【発明の詳細な説明】
【技術分野】
【０００１】
本発明は、機器、画像形成装置及び情報処理システムに関する。
【背景技術】
【０００２】
従来、画像形成装置等の機器が、当該機器に設定された送信先に対して、当該機器内の情報（以下、「機器情報」という。）を送信する技術が開示されている。斯かる技術において、機器情報の送信先を、機器の保守サービスを提供するサービスマン等に設定することで、サービスマンは、機器の状況を監視することができる。その結果、機器の異常等の発生時において、ユーザは、円滑に機器の保守サービスを受けることができる。
【発明の概要】
【発明が解決しようとする課題】
【０００３】
しかしながら、従来、機器の異常の発生に気付いたユーザが、サービスマン等に対して当該異常の発生や当該異常の内容等を簡易に通知するための仕組みは開示されていない。例えば、ユーザは、サービスマンに電話等をかけることで異常の発生等を通知することができるが、そのためにはサービスマンの連絡先を調べたり、異常の内容を詳細に伝えるための作業負担がユーザに発生してしまう。
【０００４】
本発明は、上記の点に鑑みてなされたものであって、機器における異常の発生を簡易に通知可能とすることを目的とする。
【課題を解決するための手段】
【０００５】
そこで上記課題を解決するため、情報処理装置にネットワークを介して接続する機器は、前記情報処理装置から送信されるアドレス情報を受信する受信部と、前記受信部によって受信されたアドレス情報を記憶部に記憶する記憶処理部と、当該機器における異常の発生を検出する検出部と、前記検出部によって異常を検出した際に、ユーザに前記異常を通知する表示、と、前記異常の解消方法を入力させる少なくとも１つの画面とを表示する表示制御部と、前記画面に対するユーザによる操作に応じた内容の情報を、前記記憶部が記憶するアドレス情報を宛先として送信する送信部と、を有する。
【発明の効果】
【０００６】
機器における異常の発生を簡易に通知可能とすること。
【図面の簡単な説明】
【０００７】
【図１】第１の実施の形態におけるシステム構成例を示す図である。
【図２】第１の実施の形態における画像形成装置１０のハードウェア構成例を示す図である。
【図３】第１の実施の形態における情報処理端末２０のハードウェア構成例を示す図である
【図４】第１の実施の形態における画像形成装置１０の機能構成例を示す図である。
【図５】第１の実施の形態において実行される処理手順の一例を説明するためのシーケンス図である。
【図６】設定情報入力画面の表示例を示す図である。
【図７】異常情報に応じた画面の第１の表示例を示す図である。
【図８】異常情報に応じた画面の第２の表示例を示す図である。
【図９】メッセージ入力画面の表示例を示す図である。
【図１０】第２の実施の形態において異常が発生していない画像形成装置１０が実行する処理手順の一例を説明するためのフローチャートである。
【発明を実施するための形態】
【０００８】
以下、図面に基づいて本発明の実施の形態を説明する。図１は、第１の実施の形態におけるシステム構成例を示す図である。図１において、ユーザ環境Ｅ１は、インターネット等のネットワークを介して連絡先端末５０に接続される。
【０００９】
ユーザ環境Ｅ１は、オフィス、ビル、又は拠点等に設置された各画像形成装置１０を接続するネットワーク環境である。ユーザ環境Ｅ１においては、画像形成装置１０ａ及び画像形成装置１０ｂ等の１以上の画像形成装置１０と、設定端末３０とは、ＬＡＮ（Local Area Network）又はインターネット等のネットワーク（有線又は無線の別は問わない）を介して通信可能に接続されている。
【００１０】
画像形成装置１０は、印刷、スキャン、コピー、及びＦＡＸ送受信等のうちの二以上の機能を一台の筐体によって実現する複合機である。但し、いずれか一つの機能を単体で有する機器が画像形成装置１０として用いられてもよい。機器のその他の例としては、ユーザの操作を受け付ける操作画面を有するまたは表示可能な機器であれば、電子黒板、遠隔会議装置、プロジェクタ、などのオフィス機器や、テレビ、冷蔵庫、洗濯機等家庭用電化製品などの電子機器であってもよい。
【００１１】
設定端末３０は、画像形成装置１０に対するプログラムのインストール指示や、当該プログラムに関する設定情報の入力等をユーザから受け付けるためのプログラム（設定ツール３１）を備えた端末である。例えば、ＰＣ（Personal Computer）、携帯電話、スマートフォン又はタブレット端末等が、設定端末３０として用いられてもよい。なお、設定端末３０は、ユーザ環境Ｅ１に常設されている端末でなくてもよい。例えば、設定端末３０は、画像形成装置１０の保守を行うサービスマンによって持ち込まれてもよい。
【００１２】
連絡先端末５０は、ユーザ環境Ｅ１に設置された画像形成装置１０の保守作業等を担当するサービスが、ユーザ環境Ｅ１の外部において利用する端末である。本実施の形態において、連絡先端末５０は、画像形成装置１０において異常が発生した際の連絡先として機能する。例えば、ＰＣ（Personal Computer）、携帯電話、スマートフォン又はタブレット端末等が、連絡先端末５０として用いられてもよい。
【００１３】
図２は、第１の実施の形態における画像形成装置１０のハードウェア構成例を示す図である。図２において、画像形成装置１０は、コントローラ１１、スキャナ１２、プリンタ１３、モデム１４、ネットワークインタフェース１６、及びＳＤカードスロット１７等のハードウェアを有する。
【００１４】
コントローラ１１は、画像形成装置１０の本体におけるコンピュータ（情報処理装置）である。図２において、コントローラ１１は、ＣＰＵ１１１、ＲＡＭ１１２、ＲＯＭ１１３、ＨＤＤ１１４、及びＮＶＲＡＭ１１５等を有する。ＲＯＭ１１３には、各種のプログラムやプログラムによって利用されるデータ等が記憶されている。ＲＡＭ１１２は、プログラムをロードするための記憶領域や、ロードされたプログラムのワーク領域等として用いられる。ＣＰＵ１１１は、ＲＡＭ１１２にロードされたプログラムを処理することにより、各種の機能を実現する。ＨＤＤ１１４には、プログラムやプログラムが利用する各種のデータ等が記憶される。ＮＶＲＡＭ１１５には、各種の設定情報等が記憶される。
【００１５】
スキャナ１２は、原稿より画像データを読み取るためのハードウェア（画像読取手段）である。プリンタ１３は、印刷データを印刷用紙に印刷するためのハードウェア（印刷手段）である。モデム１４は、電話回線に接続するためのハードウェアであり、ＦＡＸ通信による画像データの送受信を実行するために用いられる。ネットワークインタフェース１６は、ＬＡＮ等のネットワーク（有線又は無線の別は問わない。）に接続するためのハードウェアである。ＳＤカードスロット１７は、ＳＤカード８０に記憶されたプログラムを読み取るために利用される。すなわち、画像形成装置１０では、ＲＯＭ１１３に記憶されたプログラムだけでなく、ＳＤカード８０に記憶されたプログラムもＲＡＭ１１２にロードされ、実行されうる。なお、他の記録媒体（例えば、ＣＤ−ＲＯＭ又はＵＳＢ（Universal Serial Bus）メモリ等）によってＳＤカード８０が代替されてもよい。すなわち、ＳＤカード８０の位置付けに相当する記録媒体の種類は、所定のものに限定されない。この場合、ＳＤカードスロット１７は、記録媒体の種類に応じたハードウェアによって代替されればよい。
【００１６】
コントローラ１１には、また、情報処理端末２０が接続される。情報処理端末２０は、例えば、スマートフォンやタブレット端末等のスマート端末であり、単独で完結した情報処理を実行可能な電子機器である。本実施の形態において、情報処理端末２０は、画像形成装置１０の操作部として機能する。コントローラ１１と情報処理端末２０とは、例えば、ＵＳＢケーブル、近距離無線通信、又はＬＡＮ等の通信回線を介して接続される。なお、本実施の形態では、情報処理端末２０も画像形成装置１０の構成要素（画像形成装置１０の一部）として説明するが、画像形成装置１０の外部の装置として把握されてもよい。
【００１７】
図３は、第１の実施の形態における情報処理端末２０のハードウェア構成例を示す図である。図３において、情報処理端末２０は、ＣＰＵ２０１、メモリ２０２、補助記憶装置２０３、タッチパネル２０４、及び無線通信装置２０５等を有する。
【００１８】
補助記憶装置２０３は、情報処理端末２０にインストールされたプログラム等を記憶する。メモリ２０２は、プログラムの起動指示があった場合に、補助記憶装置２０３からプログラムを読み出して記憶する。ＣＰＵ２０１は、メモリ２０２に記憶されたプログラムに従って情報処理端末２０に係る機能を実現する。
【００１９】
タッチパネル２０４は、入力機能と表示機能との双方を備えた電子部品であり、情報の表示や、ユーザからの入力の受け付け等を行う。タッチパネル２０４は、表示装置２１１及び入力装置２１２等を含む。
【００２０】
表示装置２１１は、液晶ディスプレイ等であり、タッチパネル２０４の表示機能を担う。入力装置２１２は、表示装置２１１に対する接触物の接触を検出するセンサを含む電子部品である。接触物の接触の検出方式は、静電方式、抵抗膜方式、又は光学方式等、公知の方式のいずれであってもよい。なお、接触物とは、タッチパネル２０４の接触面（表面）に接触する物体をいう。斯かる物体の一例として、ユーザの指や専用又は一般のペン等が挙げられる。
【００２１】
無線通信装置２０５は、無線ＬＡＮ（Local Area Network）又は移動体通信網等における通信を行うために必要とされるアンテナ等の電子部品である。但し、本実施の形態において、情報処理端末２０は、無線通信装置２０５を有していなくてもよい。
【００２２】
図４は、第１の実施の形態における画像形成装置１０の機能構成例を示す図である。図４において、コントローラ１１は、画像形成制御部１２１及び検出部１２２等を有する。これら各部は、コントローラ１１にインストールされた１以上のプログラムが、ＣＰＵ１１１に実行させる処理により実現される。
【００２３】
画像形成制御部１２１は、画像形成処理（スキャナ１２による画像の読み取りや、プリンタ１３による印刷等）を制御する。検出部１２２は、画像形成処理に関する異常状態の発生を検出する。ここで、異常状態とは、例えば、処理が正常に実行されない状態（例えば、ジャムの発生等の障害（エラー又は故障等））や、近い時期に処理が正常に実行されなくなる可能性が高い状態等をいう。後者の状態として、トナー等の消耗品の消耗が所定量以上である状態（トナーニアエンドの状態等）が挙げられる。
【００２４】
一方、情報処理端末２０は、インストール部２１を有する。インストール部２１は、情報処理端末２０にインストールされた１以上のプログラム（例えば、ＯＳ（Operating System））が、ＣＰＵ２０１に実行させる処理により実現される。
【００２５】
インストール部２１は、設定端末３０からの要求に応じ、情報処理端末２０に対してアプリケーションプログラムをインストールする。本実施の形態において、インストール部２１は、連絡アプリ２２を情報処理端末２０にインストールする。
【００２６】
連絡アプリ２２は、情報処理端末２０を、設定受信部２２１、設定部２２２、情報取得部２２３、表示制御部２２４及び送信部２２５等として機能させるアプリケーションプログラムである。すなわち、情報処理端末２０に連絡アプリ２２がインストールされることにより、情報処理端末２０は、設定受信部２２１、設定部２２２、情報取得部２２３、表示制御部２２４及び送信部２２５を有することになる。
【００２７】
設定受信部２２１は、異常状態の発生の通知先のアドレス情報（メールアドレス）を含む設定情報の設定要求を受信する。本実施の形態では、連絡先端末５０のアドレス情報が当該通知先とされる。
【００２８】
設定部２２２は、設定受信部２２１が受信した設定要求に係る設定情報を設定記憶部２３に記憶する。なお、設定記憶部２３は、例えば、補助記憶装置２０３等を用いて実現可能である。
【００２９】
情報取得部２２３は、異常状態に関する情報を検出部１２２から取得する。
【００３０】
表示制御部２２４は、検出部１２２による異常状態の検出後に、当該異常状態に関する画面を表示する。
【００３１】
送信部２２５は、ユーザによる当該画面の操作に応じた内容の情報を、設定部２２２によって記憶部に記憶された設定情報に含まれるアドレス情報を宛先として送信する。本実施の形態では、電子メール（以下、単に「メール」という。）によって当該情報が送信されるが、当該情報の送信のための通信プロトコルは所定のものに限定されない。
【００３２】
以下、設定端末３０及び画像形成装置１０によって実行される処理手順について説明する。図５は、第１の実施の形態において実行される処理手順の一例を説明するためのシーケンス図である。
【００３３】
ステップＳ１０１において、設定端末３０のユーザである設定者が、画像形成装置１０への連絡アプリ２２のインストール指示を設定端末３０に入力すると、設定端末３０は、画像形成装置１０に対して連絡アプリ２２のインストール要求を送信する（Ｓ１０２）。設定者は、例えば、サービスマンであってもよい。また、インストール指示では、インストール先の画像形成装置１０が指定される。また、設定端末３０からのインストール要求には、連絡アプリ２２の実体（インストールパッケージ等）が含まれてもよいし、連絡アプリ２２のダウンロード先の識別情報（例えば、ＵＲＬ（Uniform Resource Locator）等）が含まれてもよい。
【００３４】
情報処理端末２０のインストール部２１は、インストール要求を受信すると、当該インストール要求において指定された連絡アプリ２２を情報処理端末２０にインストールする（Ｓ１０３）。この際、インストール部２１は、当該インストール要求にインストールパッケージ等が含まれていれば、当該インストールパッケージに基づいて連絡アプリ２２のインストールを行う。一方、当該インストール要求に連絡アプリ２２の識別情報が含まれている場合、インストール部２１は、当該識別情報に係るダウンロード先から連絡アプリ２２をダウンロードして、当該連絡アプリ２２を情報処理端末２０にインストールする。連絡アプリ２２が情報処理端末２０にインストールされることで、情報処理端末２０は、図４の設定受信部２２１、設定部２２２、情報取得部２２３、表示制御部２２４及び送信部２２５等として機能することが可能となる。
【００３５】
なお、ステップＳ１０１〜Ｓ１０３は、複数の画像形成装置１０に対してまとめて実行されてもよい。すなわち、ステップＳ１０１におけるインストール指示では、複数の画像形成装置１０がインストール先として指定されてもよい。この場合、設定端末３０は、ステップＳ１０２において、指定された複数の画像形成装置１０のそれぞれにインストール要求を送信してもよい。
【００３６】
ステップＳ１０１〜Ｓ１０３が実行された後、設定者が、連絡先端末５０のメールアドレス等を含む設定情報を設定端末３０に入力する（Ｓ１１１）。但し、設定情報の入力は、画像形成装置１０側で行われてもよい。設定端末３０への設定情報の入力は、例えば、設定ツール３１が設定端末３０に表示させる、図６に示されるような画面を介して行われてもよい。
【００３７】
図６は、設定情報入力画面の表示例を示す図である。図６において、設定情報入力画面５１０は、エディットボックス５１１〜５１３及びラジオボタン５１４等を含む。
【００３８】
エディットボックス５１１は、送信先メールアドレス（連絡先端末５０のメールアドレス）の入力を受け付けるための領域である。エディットボックス５１２は、送信元メールアドレスの入力を受け付けるための領域である。送信元メールアドレスは、ユーザ環境Ｅ１に対して１つであってもよいし、ユーザ環境Ｅ１の画像形成装置１０ごとに異なっていてもよい。本実施の形態では、送信元メールアドレスがユーザ環境Ｅ１に対して１つである例について説明する。エディットボックス５１３は、顧客ＩＤの入力を受け付けるための領域である。顧客ＩＤとは、ユーザ環境Ｅ１に対して割り当てられた識別情報である。すなわち、サービスマンは、顧客ＩＤに基づいて、各ユーザ環境Ｅ１（各顧客）を識別することができる。
【００３９】
ラジオボタン５１４は、送信先メールアドレス、送信元メールアドレス及び顧客ＩＤ等の変更を機器側（すなわち、画像形成装置１０側）で許可するか否かを選択させるためのラジオボタンであり、「禁止」及び「許可」を選択肢として含む。「禁止」は、機器側での設定変更の禁止に対応する選択肢である。「許可」は、機器側での設定変更の許可に対応する選択肢である。以下、ラジオボタン５１４において設定される情報を「設定変更許否情報」という。
【００４０】
各領域に対して設定値が入力されてＯＫボタン５１５が押下されると、ステップＳ１０１が実行される。なお、設定情報の送信先（設定先）が１つの画像形成装置１０に限定されない場合、設定情報入力画面５１０とは別に、設定先の画像形成装置１０の識別情報（例えば、ＩＰアドレス等）が入力されてもよい。
【００４１】
続いて、設定端末３０は、設定先として指定された１以上の画像形成装置１０に対して、設定情報入力画面５１０に入力された送信先メールアドレス、送信元メールアドレス、顧客ＩＤ及び設定変更許否情報等を含む設定情報を送信する（Ｓ１１２）。すなわち、当該設定情報は、複数の画像形成装置１０に対して送信されてもよい。この場合、ステップＳ１１３以降は、複数の画像形成装置１０のそれぞれにおいて実行される。
【００４２】
当該設定情報が、情報処理端末２０の設定受信部２２１によって受信されると、設定部２２２は、当該設定情報を設定記憶部２３に記憶する（Ｓ１１３）。
【００４３】
以上で設定処理が終了する。図５におけるステップＳ１２１以降は、ステップＳ１１３とは非同期に実行される。
【００４４】
その後、任意のタイミングで、画像形成装置１０のコントローラ１１の検出部１２２が、画像形成制御部１２１の処理に関して異常状態の発生を検出すると（Ｓ１２１）、検出部１２２は、当該異常状態に関する情報（以下、「異常情報」という。）を情報処理端末２０の情報取得部２２３に通知する（Ｓ１２２）。例えば、異常情報には、故障の内容を示す情報又はトナーのニアエンド等の消耗品の消耗を示す情報等が含まれる。例えば、トナーのニアエンドを示す情報であれば、トナーの色（シアン、イエロー、マジェンタ、ブラック）ごとに、残量の割合が異常情報に含まれてもよい。
【００４５】
続いて、表示制御部２２４は、当該異常情報に基づいて、異常情報に応じた画面を表示装置２１１に表示する（Ｓ１２３）。但し、表示制御部２２４は、異常情報が通知されたことを示すアイコンを表示装置２１１に表示してもよい。この場合、表示制御部２２４は、ユーザによってアイコンが選択された場合に当該異常情報に応じた画面を表示してもよい。
【００４６】
図７は、異常情報に応じた画面の第１の表示例を示す図である。図７には、異常情報に応じた画面の一例としてトナー選択画面５２０が示されている。トナー選択画面５２０は、異常情報がトナーのニアエンドを示す情報である場合に表示される画面である。但し、トナー選択画面５２０は、異常情報が通知された場合に限らず、トナーの消耗状況の確認がユーザから要求された際に表示される画面であってもよい。
【００４７】
図７において、トナー選択画面５２０は、トナーの色ごとのボタン５２１〜５２４等を含む。各ボタンには、トナーの色と、当該色のトナーの残量の割合とが表示されている。ユーザは、各ボタンを、選択状態又は非選択状態に切り替えることができる。但し、図７では、ニアエンドに係る色（本実施の形態では、残量が１０％以下である色）に対応するボタンのみが選択可能な状態とされている。すなわち、図７において、破線によって表現されているボタンは、グレーアウトされて操作不能な状態であるボタンである。但し、ニアエンドでない色の選択が可能とされてもよい。
【００４８】
ユーザによって、ボタン５２１〜５２４のうち選択可能なボタンであって、ユーザが注文を所望する色に対応する（ユーザが所望する対処に対応する）ボタンが選択され、注文ボタン５２６が押下されたことを表示制御部２２４が検知すると（Ｓ１２４）、ステップＳ１２５が実行される。ステップＳ１２５において、送信部２２５は、設定記憶部２３に記憶されている送信先メールアドレスを宛先とし、送信元メールアドレスを送信元とするメールであって、ユーザによって選択されたボタンの色に対応するトナーの注文を本文とするメールを生成し、当該メールを送信先メールアドレスに送信する。なお、当該メールには、異常情報を含むファイルが添付されてもよい。また、当該メールには、設定記憶部２３に記憶されている顧客ＩＤが含められてもよい。
【００４９】
なお、表示制御部２２４は、注文ボタン５２６が押下された日時を、例えば、補助記憶装置２０３等に記憶しておき、当該日時の履歴を注文履歴５２５として、トナー選択画面５２０に含めてもよい。
【００５０】
また、図８は、異常情報に応じた画面の第２の表示例を示す図である。図７には、異常情報に応じた画面の一例として障害選択画面５３０が示されている。障害選択画面５３０は、異常情報が障害の発生を示す情報である場合に表示される画面である。
【００５１】
図８において、障害選択画面５３０は、障害の種別（状況）ごとのボタン５３１〜５３３を含む。ボタン５３１は、ジャムの発生に対応するボタンである。ボタン５３２は、ＡＤＦ（Auto Document Feeder）が正常に動作しない状況に対応するボタンである。ボタン５３３は、その他の障害に対応するボタンである。なお、障害の種別は一例に過ぎない。他の障害に対応するボタンが障害選択画面５３０に配置されてもよい。
【００５２】
ボタン５３１〜５３３のうち、ユーザによって、現在発生中の障害に対応するボタンが選択されたこと（すなわち、異常を通知する表示に対するユーザの接触）を検知すると、表示制御部２２４は、メッセージ入力画面を表示装置２１１に表示する。
【００５３】
図９は、メッセージ入力画面の表示例を示す図である。図９において、メッセージ入力画面５４０は、テキスト入力手段の一例としてのメッセージ入力領域５４１等を含む。メッセージ入力領域５４１は、障害について詳細な状況や異常の解消方法を示す文章（以下、単に「メッセージ」という。）の入力をユーザから受け付けるための領域である。メッセージ入力領域５４１に対してメッセージが入力され、メール送信ボタン５４２が押下されると（Ｓ１２４）、ステップＳ１２５が実行される。
【００５４】
なお、トナー選択画面５２０及び障害選択画面５３０は、ユーザに異常を通知すると共に、異常の解消方法を入力させる画面の一例である。トナー選択画面５２０の、ボタン５２１〜５２４は、残量が所定値を下回った消耗品の選択手段の一例である。障害選択画面５３０のボタン５３１〜５３３は、故障内容の選択手段の一例である。また、メッセージ入力画面５４０は、異常の解消方法をユーザに入力させる画面の一例である。なお、異常情報がいかなる場合であっても、メッセージ入力画面５４０のみが表示されるようにしてもよい。すなわち、ユーザに異常を通知する表示、と、当該異常の解消方法を入力させる少なくとも１つの画面が表示されればよい。
【００５５】
ステップＳ１２５において、送信部２２５は、設定記憶部２３に記憶されている送信先メールアドレスを宛先とし、送信元メールアドレスを送信元とするメールであって、ユーザによって選択された障害の種別と、ユーザによって入力されたメッセージとを本文に含むメールを生成し、当該メールを送信先メールアドレスに送信する。なお、当該メールには、異常情報を含むファイルが添付されてもよい。この場合、異常情報には、障害に関する詳細な情報（例えば、内部のエラーコード等）が含まれてもよい。また、当該メールには、設定記憶部２３に記憶されている顧客ＩＤが含められてもよい。
【００５６】
ステップＳ１２５において送信されたメールが連絡先装置において受信されると、サービスマンは、当該メールの内容に応じた保守作業を実施する。
【００５７】
上述したように、第１の実施の形態によれば、画像形成装置１０に異常が発生すると、ユーザに対して異常に関する選択肢を含む画面が画像形成装置１０において表示され、ユーザが異常に対応する選択肢を選択すると、選択された内容に応じたメールが、予め設定された送信先メールアドレス宛に送信される。したがって、画像形成装置１０における異常の発生を簡易に通知可能とすることができる。
【００５８】
次に、第２の実施の形態について説明する。第２の実施の形態では第１の実施の形態と異なる点について説明する。したがって、特に言及されない点については、第１の実施の形態と同様でもよい。
【００５９】
第２の実施の形態では、異常が発生した画像形成装置１０（以下「画像形成装置１０ａ」という。）において、異常情報に応じた画面の表示が行えず、その結果としてメールの送信が行えない状況が考慮される。すなわち、異常の発生時には、当該異常の原因を除去されないと情報処理端末２０の表示装置２１１において画面遷移ができず、トナー選択画面５２０や障害選択画面５３０等の異常情報に応じた画面を表示できない場合も考えられる。
【００６０】
第２の実施の形態では、このような場合、他の画像形成装置１０（以下「画像形成装置１０ｂ」という。）が、異常情報に応じた画面の表示及びメールの送信を代行する。なお、画像形成装置１０ａ及び画像形成装置１０ｂの双方について、図５のステップＳ１０１〜Ｓ１０３及びＳ１１１〜Ｓ１１２は実行済みであるとする。
【００６１】
図１０は、第２の実施の形態において異常が発生していない画像形成装置１０が実行する処理手順の一例を説明するためのフローチャートである。すなわち、図１０は、画像形成装置１０ｂが実行する処理手順を示す。なお、以下の説明において、画像形成装置１０ａの構成要素の符号の末尾には「ａ」を付し、画像形成装置１０ｂの構成要素の符号の末尾には「ｂ」を付す。
【００６２】
例えば、画像形成装置１０ａに異常が発生し、画面遷移を実行できない場合、ユーザは、画像形成装置１０ｂに移動し、画像形成装置１０ｂの情報処理端末２０の表示装置２１１に表示されている、連絡アプリ２２のアイコンをクリックすることで、画像形成装置１０ｂの情報処理端末２０において連絡アプリ２２を起動する。
【００６３】
連絡アプリ２２が起動されると、画像形成装置１０ｂの情報取得部２２３ｂは、異常情報の取得先の画像形成装置１０ａの識別情報（例えば、ホスト名又はＩＰアドレス等）の入力をユーザから受け付ける（Ｓ２０１）。例えば、情報取得部２２３ｂが、当該識別情報の入力用の画面を表示装置２１１ｂに表示し、当該画面を介して当該識別情報の入力を受け付けてもよい。
【００６４】
続いて、情報取得部２２３ｂは、入力された識別情報に係る画像形成装置１０ａからの異常情報の取得を実行する（Ｓ２０２）。例えば、情報取得部２２３ｂが情報取得部２２３ａに対して異常情報の送信を要求してもよい。又は、情報取得部２２３ｂが、検出部１２２ａから異常情報を取得してもよい。
【００６５】
異常情報の取得に成功した場合（Ｓ２０３でＹｅｓ）、ステップＳ２０４〜Ｓ２０６において、図５のステップＳ１２３〜Ｓ１２５と同様の処理が画像形成装置１０ｂにおいて実行される。その結果、画像形成装置１０ｂによって、画像形成装置１０ａの異常に関する異常情報に応じた画面の表示及びメールの送信が代行される。
【００６６】
一方、何らかの理由により異常情報の取得に失敗した場合（Ｓ２０３でＮｏ）、表示制御部２２４ｂは、異常の発生時に表示される画面の各候補の画像データを生成する（Ｓ２１１）。ここで、画像データの生成対象とされる画面は、全ての異常のそれぞれに対応する画面であってもよいし、一部の画面であってもよい。一部の画面の場合、発生頻度の高い異常に対応する画面が画像データの生成対象とされてもよい。なお、画像データは、例えば、サムネイル画像（縮小画像）であってもよい。
【００６７】
続いて、表示制御部２２４ｂは、ステップＳ２０４において生成した複数の画像データが選択可能な状態で配列された画面（以下、「画像選択画面」という。）を表示装置２１１ｂに表示する（Ｓ２１２）。
【００６８】
続いて、表示制御部２２４ｂは、表示した画像選択画面に配列された画像データの中から、画像形成装置１０ａにおいて現在表示されている画面（現在発生中の異常に関する画面）に類似又は一致する画像データの選択をユーザから受け付ける（Ｓ２１３）。この際、画像形成装置１０ａにおいて表示されている異常の識別番号（コード番号等）が、別途入力されてもよい。
【００６９】
続いて、画像選択画面におけるメール送信ボタンがユーザによって押下されると、送信部２２５は、画像選択画面において選択された画像データに対応する異常に関する情報を含むメールを、設定記憶部２３ｂに記憶されている送信先メールアドレス宛に送信する（Ｓ２０６）。異常の識別番号が入力された場合には、当該識別番号も当該メールに含められてもよい。また、選択された画像データが当該メールに添付されてもよい。更に、異常の発生元が画像形成装置１０ａであることを示す文字列が当該メールに含まれてもよい。その結果、画像形成装置１０ａから異常情報を取得できない場合であっても、サービスマンは、画像形成装置１０ａの異常の状況を或る程度把握することができる。
【００７０】
上述したように、第２の実施の形態によれば、異常が発生した画像形成装置１０において画面遷移を実行できない場合であっても、他の画像形成装置１０を用いて当該異常に関するメールを送信することができる。したがって、画像形成装置１０における異常の発生を簡易に通知可能とすることができる。
【００７１】
なお、上記各実施の形態では、画像形成装置１０が機器の一例である例について説明したが、プロジェクタ、電子黒板、又はテレビ会議システム等の他の機器に関して上記各実施の形態が適用されてもよい。
【００７２】
なお、上記各実施の形態において、設定部２２２は、記憶処理部の一例である。設定記憶部２３は、記憶部の一例である。情報取得部２２３は、取得部の一例である。設定端末３０は、情報処理装置の一例である。ボタン５２１〜５２４は、異常に対する対処要求に対応する選択肢の一例である。連絡アプリ２２は、連絡用アプリケーションの一例である。送信先メールアドレスは、送信先アドレスの一例である。送信元メールアドレスは、送信元アドレスの一例である。画像形成装置１０及び設定端末３０は、情報処理システムの一例である。
【００７３】
以上、本発明の実施の形態について詳述したが、本発明は斯かる特定の実施形態に限定されるものではなく、特許請求の範囲に記載された本発明の要旨の範囲内において、種々の変形・変更が可能である。
【符号の説明】
【００７４】
１０          画像形成装置
１１          コントローラ
１２          スキャナ
１３          プリンタ
１４          モデム
１６          ネットワークインタフェース
１７          ＳＤカードスロット
２０          情報処理端末
２１          インストール部
２２          連絡アプリ
２３          設定記憶部
３０          設定端末
３１          設定ツール
５０          連絡先端末
８０          ＳＤカード
１１１        ＣＰＵ
１１２        ＲＡＭ
１１３        ＲＯＭ
１１４        ＨＤＤ
１１５        ＮＶＲＡＭ
１２１        画像形成制御部
１２２        検出部
２０１        ＣＰＵ
２０２        メモリ
２０３        補助記憶装置
２０４        タッチパネル
２０５        無線通信装置
２１１        表示装置
２１２        入力装置
２２１        設定受信部
２２２        設定部
２２３        情報取得部
２２４        表示制御部
２２５        送信部
【先行技術文献】
【特許文献】
【００７５】
【特許文献１】特開２０１６−１５７３７０号公報
【図１】
2019113932.tif 000003
【図２】
2019113932.tif 000004
【図３】
2019113932.tif 000005
【図４】
2019113932.tif 000006
【図５】
2019113932.tif 000007
【図６】
2019113932.tif 000008
【図７】
2019113932.tif 000009
【図８】
2019113932.tif 000010
【図９】
2019113932.tif 000011
【図１０】
2019113932.tif 000012